(57)【要約】【課題】バケットの枢支部の横軸周りに土砂が付着するのを防止して、スムーズなバケットによる作業を実現できる重機用バケット枢支部の土砂除け機構を提供する。【解決手段】横軸３２を含む枢支部３６と、枢支部３６を介してアーム２４の先端に横軸３２回りに回動自在に支持されたバケット２６と、を有し、バケット２６の回動により同バケット２６内の土保持凹部２７に保持した土が横軸３２の潤滑グリス部に付着することを防止する土除け体４４と、を備えたことを特徴とする重機用バケット枢支部の土除け機構１０から構成される。【選択図】図１
0003120853.tif 000002
【実用新案登録請求の範囲】
【請求項１】
横軸を含む枢支部と、
枢支部を介してアームの先端に横軸回りに回動自在に支持されたバケットと、を有し、
バケットの回動により同バケット内の土保持凹部に保持した土が横軸の潤滑グリス部に付着することを防止する土除け体と、を備えたことを特徴とする重機用バケット枢支部の土除け機構。
【請求項２】
土除け体は、アームの正面に正対する面を形成して枢支部を該正面側から覆蓋するように取付けられるカバー板材からなることを特徴とする請求項１記載の重機用バケット枢支部の土除け機構。
【請求項３】
カバー板材の横幅が、少なくとも横軸に対応する部分において、少なくとも該横軸の横長幅よりも大きく設定されていることを特徴とする請求項２記載の重機用バケット枢支部の土除け機構。
【請求項４】
カバー板材は、その下端部を枢支部より下方側に延設させて、バケットの土保持凹部内に位置するように配置させて設けられたことを特徴とする請求項２又は３記載の重機用バケット枢支部の土除け機構。
【請求項５】
カバー板材は、硬質ゴムで形成された請求項２ないし４のいずれかに記載の重機用バケット枢支部の土除け機構。
【考案の詳細な説明】
【技術分野】
【０００１】
本考案は、掘削作業機等の重機用バケット枢支部の土除け機構に関する。
【背景技術】
【０００２】
例えば、特許文献１添付図面の図１、図２に示すように、バックホウ等の作業機１は、機体１ｆがクローラ等の走行装置に対して平面内を旋回できるように支持されており、該機体１ｆに複数の油圧シリンダ１ｄを介して揺動自在にブーム１ｂ及びアーム１ｃからなる一連の腕部が連結されている。そしてアーム１ｃの先端にバケット１ａが回動自在に連結されている。図７は、特許文献１の作業機１のアーム及びバケット周辺を示しており、図７に示すように、バケット１ａとアーム１ｃとの連結は、横軸１００を介して枢支連結されており、さらに、バケット１ａは、該バケット１ａを作動させる油圧シリンダ１ｄとリンク機構１０１を介して連結されている。このリンク機構１０１は、バケットと複数の連結杆１０２と横軸１０３とを枢支連結して構成されている。各横軸１００，１０３には、バケット回動時の軸周りの摩擦を低減させるために常に潤滑グリスが供給されている。
【特許文献１】実開平６−１８４６３号公報
【考案の開示】
【考案が解決しようとする課題】
【０００３】
しかしながら、掘削の際にバケット１ａを回動させてバケット内に掘削土を山積みさせると、該土の一部が横軸、特に横軸１００の潤滑グリス部周りに付着する場合が多い。土が潤滑グリス部に付着すると横軸１００と軸受との間に土がかみ込まれ、バケットの回動動作が鈍くなり、遂には動かなくなってしまう。したがって、頻繁に掘削作業を中断して、横軸１００やグリス部の点検、清掃及びグリスの供給等を行なう必要があり、煩雑で労力がかかっていた。さらに、横軸１００等の構成部品も劣化しやすく、短期間のサイクルで交換をする必要があり、費用も高くついていた。また、作業機１の操者が、例えば、バケット１ａやアーム１ｃ、ブーム１ｂ等を微調整して、バケット１ａに積載する土砂の量を加減することにより、横軸１００への土砂の付着を低減させようとする場合もある。しかしながら、この場合には、熟練した作業機操作技術を要するとともに、微調整に神経を使ううえ、一回の掘削量が少なくなり、煩雑で掘削作業も長時間に及ぶという問題があった。
【０００４】
本考案は、上記従来の課題に鑑みてなされたものであり、その一つの目的は、バケットの枢支部の横軸周りに土砂が付着するのを防止して、スムーズなバケットによる作業を実現できる重機用バケット枢支部の土砂除け機構を提供することにある。
【課題を解決するための手段】
【０００５】
上記課題を解決するために本考案は、横軸３２を含む枢支部３６と、枢支部３６を介してアーム２４の先端に横軸３２回りに回動自在に支持されたバケット２６と、を有し、バケット２６の回動により同バケット２６内の土保持凹部２７に保持した土Ｍが横軸３２の潤滑グリス部に付着することを防止する土除け体４４と、を備えたことを特徴とする重機用バケット枢支部の土除け機構１０から構成される。土除け体４４は、例えば、アーム、バケット、又は枢支部等に取付手段を介して取付るとよい。取付手段は、例えば、ボルト・ナット、取付板、その他の金具、ワイヤー等の索条類等の取付部材を用いたもの、あるいは土除け体を金属とし、アーム等に直接溶接固定する等、その他任意の構成でよい。
【０００６】
土除け体４４は、アーム２４の正面Ｆに正対する面を形成して枢支部３４を該正面側から覆蓋するように取付けられるカバー板材４６からなることとしてもよい。カバー板材４６は、例えば、三角形、四角形、五角形その他の多角形、円形、楕円形等その他任意の形状で、横軸を覆蓋しうるような板材であれば任意でよい。
【０００７】
また、カバー板材４６の横幅Ｗが、少なくとも横軸３２に対応する部分において、少なくとも該横軸３２の横長幅Ｌよりも大きく設定されていることとしてもよい。例えば、横軸に対応する部分のみ横幅を広くした形状でもよい。
【０００８】
また、カバー板材４６は、その下端部を枢支部３６より下方側に延設させて、バケット２６の土保持凹部２７内に位置するように配置させて設けられたこととしてもよい。
【０００９】
また、カバー板材４６は、硬質ゴムで形成されたこととしてもよい。
【考案の効果】
【００１０】
本考案の重機用バケット枢支部の土除け機構によれば、横軸を含む枢支部と、枢支部を介してアームの先端に横軸回りに回動自在に支持されたバケットと、を有し、バケットの回動により同バケット内の土保持凹部に保持した土が横軸の潤滑グリス部に付着することを防止する土除け体と、を備えたことから、土除け体により土が横軸の潤滑グリスに付着するのを良好に防止することで、グリス機能の低下や土のかみ込み等によるバケットの枢支部の機能低下を確実に防止でき、円滑に継続して重機作業を行える。さらに、グリスの潤滑機能を有効に保持できるので、横軸等の部品の早期の消耗劣化を防止でき、部品交換にかかるコストを低減できる。また、枢支部周りのメンテナンス作業も省力化できる。
【００１１】
また、土除け体は、アームの正面に正対する面を形成して枢支部を該正面側から覆蓋するように取付けられるカバー板材からなること構成とすることにより、土除け体を簡単な構成で具体的に実現でき、例えば、カバー部材で枢支部を覆いつつバケットの土保持凹部に保持した土を受け止めて確実に横軸の潤滑グリスに土が付着するのを防止できる。また、アームの側面側及び背面側を開放しておけば、横軸の点検、潤滑グリスの供給等やメンテナンス等の作業を簡単に行なうこともできる。
【００１２】
また、カバー板材の横幅が、少なくとも横軸に対応する部分において、少なくとも該横軸の横長幅よりも大きく設定されている構成とすることにより、バケットの土保持凹部に保持した際の土が保持された側となる、アームの正面側から横軸を略完全に覆うことができるので、該横軸の潤滑グリス部への土の付着を確実に防止できる。さらに、カバー板材が横広いので、バケットで土保持凹部に土を保持した際に該カバー部材で土を受け止めることができる結果、一回でバケット内に保持できる土の量を多く確保させることができ、バケットによる作業を能率化できる。
【００１３】
また、カバー板材は、その下端部を枢支部より下方側に延設させて、バケットの土保持凹部内に位置するように配置させて設けられた構成とすることにより、特に、枢支部の下方側から横軸の潤滑グリス部に土が付着するのを防止できる。さらに、上記のようにカバー板材の横幅の構成と相俟って、アームの正面側から横軸を含む枢支部全体を完全に覆うことができるので、極めて高い潤滑グリス部への土付着防止効果を期待できる。
【００１４】
また、カバー板材は、硬質ゴムで形成されたことにより、ある程度の硬度を備えているので、土を確実に受け止めて土除け機能を有効に発揮できる。同時に、ある程度の弾性変形することもできるので、例えば、枢支部の形状に柔軟に適応して設置することができる。よって、カバー板材の成形時に、緻密な設計等を必要とせず、製造が簡単である。また、カバー板材が必要に応じてバケットの回転動作等に撓む構成とすることもでき、バケットの回動に対応して横軸部への土の付着の防止機能の保持、またはカバー板材やバケットの破損防止を図ることができる。
【考案を実施するための最良の形態】
【００１５】
以下添付図面を参照しつつ、本考案の重機用バケット枢支部の土除け機構の実施の形態について説明する。本考案の重機用バケット枢支部の土除け機構は、横軸を含む枢支部と、枢支部を介してアームの先端に横軸回りに回動自在に支持されたバケットと、を有し、バケットの回動により同バケット内の土保持凹部に保持した土が横軸の潤滑グリス部に付着することを防止する土除け体と、を備えた点が主な特徴点である。
【００１６】
図１ないし図５は、本考案の重機用バケット枢支部の土除け機構の一実施形態を示している。本実施形態では、重機用バケット枢支部の土除け機構１０は、例えば、図６に示すような、バックホウ等の掘削作業用の重機１２に適用した場合について説明する。図６に示すように、重機１２は、走行装置１４に対して運転席が設けられた機体１６が縦軸周りに回転できるように支持されており、該機体１６に油圧シリンダ１８を介して回動自在にブーム２０が連結されている。ブーム２０の先端側には、油圧シリンダ２２を介して揺動自在にアーム２４が連結されており、該アーム２４の先端側に内部に土保持凹部が形成されたバケット２６が油圧シリンダ２８を介して回動自在に連結されている。図１にも示すように、バケット２６とアーム２４とは、アーム２４の正面Ｆ側にバケット２６の土保持凹部２７の開口側が向くように設定されて、第１横軸３２を含む第１枢支部３６を介して枢支連結されている。第１横軸３２は、バケット２６の外面側に設けられた一対の枢着片３８に枢支連結されて第１枢支部３６を構成する。さらに、アーム２４の背面側に配置された油圧シリンダ２８とリンク機構３０を介して連結されている。リンク機構３０は、バケット２６に設けられた枢着片３８及び複数の連結杆４０，４２と、第２〜第４横軸３３，３４，３５と、を枢支連結して第２〜第４枢支部を形成しながら構成されている。詳細には、第２横軸３３を介して第１連結杆４０が枢支され、第３横軸３４を介してバケット側の枢着片３８と第２連結杆４２が枢支され、第４横軸３５を介して第１連結杆４０と第２連結４２と油圧シリンダ２８の先端側とが枢支連結されている。第１〜第４横軸３２，３３，３４，３５には、バケット回動時の軸周りの摩擦を低減させるために潤滑グリスが供給されており潤滑グリス部が形成される。図５にも示すように、バケット２６は、油圧シリンダ２８の伸縮により、リンク機構３０を介して横軸周りに、土保持凹部をアーム２４の正面側に近接離隔するように回動して、例えば、土の掘削（積載）または開放を行なう。
【００１７】
本実施形態において、図１、図２、図４に示すように、重機用バケット枢支部の土除け機構（以下、単に「土除け機構」ともいう）１０は、横軸３２を含む枢支部３６と、バケット２６と、土除け体４４と、を有している。土除け体４４は、バケット２６の横軸３２周りの回動により同バケット２６内の土保持凹部２７に保持した土Ｍが横軸３２の潤滑グリス部に付着することを防止する土除け手段である。本実施形態では、土除け体４４は、例えば、硬質ゴムで形成された略縦長長方形状のカバー板材４６からなる。なお、カバー板材４６は、鉄、ステンレス等の金属や合金、硬質合成樹脂やＦＲＰ等の硬質素材で形成しても良く、土を確実に受け止めうる強度があると良い。カバー板材４６は、アーム２４の正面Ｆ側に取付手段を介して取付けられており、該アーム２４の正面Ｆに正対する面を形成して枢支部３６を該正面Ｆ側から覆蓋するようになっている。すなわち、カバー板材４６は、第１横軸３２の軸方向とアーム２４の長手方向に広がる面を形成している。本実施形態では、カバー板材４６は、第１横軸３２、第２横軸３４をともに覆うように縦長く設けられており、第１、第２横軸の潤滑グリス部に土が付着するのを確実に防止する。すなわち、カバー板材４６は、その下端部を第１枢支部３６より下方側に延設させて、バケット２６の土保持凹部２７内に位置するように配置させているとともに、その上端部が、第２横軸３３よりも上方側となるような縦長大きさ設定されている。カバー板材４６の下端部の延設長さは、枢支部を確実に覆うような面積を確保しつつ、バケット２６の土保持凹部に土を保持するのを邪魔しない程度に設定される。なお、カバー板材４６は、少なくとも第１枢支部３６部分のみを覆う構成でもよいが、本実施形態のように第１、第２枢支部を覆うような構成とすることで、バケットに多量の土を保持させても複数の横軸３２〜３５の潤滑グリス部に土が付着するのを確実に防止でき、円滑にバケットによる作業が行える。一方、カバー板材４６の横幅Ｗは、少なくとも該横軸３２，３３の横長幅Ｌよりも大きく設定されている。すなわち、カバー板材４６の両縦辺縁は、第１横軸の両端よりも外側となるように設定されている。これにより、アーム正面側からみると第１横軸３２を含む第１枢支部３６はカバー部材４６により完全に覆われている。
【００１８】
本実施形態では、図２、図３、図４に示すように、カバー板材４６をアーム２４に取付ける取付手段は、例えば、カバー板材４６の上端側を連結するボルト連結構造と、カバー板材４６の中間位置で連結している索条連結構造と、を含む。より具体的には、ボルト連結構造は、カバー板材４６の正面側から貫通されるボルト４８と、該ボルト４８を受けて固定する受ブラケット５０と、を含む。受ブラケット５０は、ボルト４８を螺着固定させるナットを有しており、アーム２４の両側面に溶接固定されている。索条連結構造は、例えば、一本の金属ワイヤー５２を有している。このワイヤー５２は、カバー板材４６の板面のアームの幅よりやや外側位置を貫通させつつ、カバー板材正面側からアーム２４の背面側にかけて１回または複数回周回させ、ある程度緊張させた状態で端部を連結することによって固定している。なお、カバー板材を貫通させたワイヤーは、アームの両側面に固定金具を設けて、その両端部を該固定金具に連結することとしてもよい。このように簡単な構造でカバー板材４６をアーム２４に取り付けることができるので、例えば、既存のバックホウ等の重機にも簡単に取り付けることができる。本実施形態では、カバー板材４６は、横断面円弧状に変形した状態で、アームの正面Ｆ側に略密着状に配置されるとともに、第１枢支部３６に近接するように取付けられている。これにより、カバー板材４６がアーム２４に対して安定した状態で取付られて、カバー板材の位置がズレるのを良好に防止できる。なお、取付手段は、本実施形態のようなボルト連結や索条連結の構造に限らない。例えば、カバー板材４６の正面に帯状の金属板をあてがって、該外金属板と受ブラケットとの間にカバー板材を挟みつけて、ボルト固定するようにしてもよい。また、取付手段は、例えば、カバー板材の背面側にフックを突設し、アーム側にフック受部を形成して、それらをフック係合することにより連結する構成としてもよい。また、カバー板材４６側にブラケットを固定し、該ブラケットと、アームの面又はアームに設けた受ブラケットとを重ね合わせた状態で、ボルト・ナット連結、ピンの差込み連結、或いは溶接固定、その他の連結構造により連結することとしてもよい。また、カバー板材４６を金属で形成し、アーム２４等と直接溶接固定することとしてもよく、その他任意の連結構造でもよい。なお、取付手段はカバー板材を横軸に対して着脱できる取付構成であれば、部品交換やメンテナンス等が行いやすい。また、カバー部材４６とアーム２４との連結位置は、カバー板材の大きさや材質等に応じて、１箇所でもよく、２箇所以上の複数個所でもよい。
【００１９】
図５に示すように、バケット２６で地面を掘削したり、土を掬ったりする際には、バケットの土保持凹部２７に保持される土Ｍは、アーム正面側のカバー板材４６で受け止められる。よって、該土Ｍが第１横軸３２、第２横軸３３の潤滑グリス部に付着するのを良好に防止できる。特に、カバー板材４６は、その横幅Ｗが横軸３２の横長幅Ｌよりも大きく設定されているとともに、下端部を延設させて土保持凹部２７内に位置させているので、土保持凹部２７に保持された土Ｍが第１横軸３２に付着するのを確実に防止できる。したがって、例えば、バケットによる掘削作業等を中断して、横軸やグリスの点検、清掃及びグリスの供給等の煩雑な作業をほとんど必要とせず、円滑にバケットによる掘削作業等を行うことができる。さらに、部品の早期劣化を防止でき、部品交換サイクルを長期化させて、該部品交換コストを低減できる。また、例えば、バケット２６やアーム２４、ブーム２０等の微調整を行なって土の付着防止を図るような煩雑なことを必要とすることがなく、簡便にバケット操作を行うことができる。その際、バケットによる一回の掘削、搬送の量を多く確保でき、作業の能率化も図れる。
【００２０】
以上説明した本考案の重機用バケット枢支部の土除け機構は、上記した実施形態のみの構成に限定されるものではなく、実用新案登録請求の範囲に記載した本考案の本質を逸脱しない範囲において、任意の改変を行ってもよい。
【産業上の利用可能性】
【００２１】
本考案の重機用バケット枢支部の土除け機構は、例えば、バケットによる土掘削作業や搬送等を行う重機のバケット枢支部に好適に適用される。
【図面の簡単な説明】
【００２２】
【図１】本考案の実施形態に係る土除け機構の要部側面図である。
【図２】図１の土除け機構の正面図である。
【図３】図２のＡ−Ａ線断面図である。
【図４】図２のＢ−Ｂ線断面図である。
【図５】バケットの土保持凹部に土を保持した状態を示す側面図である。
【図６】重機全体を示した側面概略図である。
【図７】特許文献１記載のアーム及びバケット周辺の説明図である。
【符号の説明】
【００２３】
１０    土除け機構
２４    アーム
２６    バケット
２７    土保持凹部
３２    第１横軸
３６    第１枢支部
４４    土除け体
４６    カバー板材
Ｗ    横幅
【図１】
0003120853.tif 000003
【図２】
0003120853.tif 000004
【図３】
0003120853.tif 000005
【図４】
0003120853.tif 000006
【図５】
0003120853.tif 000007
【図６】
0003120853.tif 000008
【図７】
0003120853.tif 000009